(57)【要約】【課題】装置としての無駄がない汎用的なグラフィック生成表示装置を提供する。【解決手段】入力される映像信号から得られた映像ソースＳ１に合成すべきＯＳＤ画像Ｓ２を生成する画像生成装置２と、合成後の画像Ｓ３を表示するディスプレイ装置３と、を有している。ディスプレイ装置Ｓ３が、表示部３２の種類に固有のグラフィック情報ＧＤを保持または生成する回路３３，３４を有している。画像生成装置２が、グラフィック情報ＧＤを受け取る制御回路２１と、その制御を受けグラフィック情報ＧＤを反映させてＯＳＤ画像Ｓ２を生成する処理回路２２と、を備える。全てのグラフィック情報ＧＤがディスプレイ装置３から与えられるので、如何なる種類の表示デバイスにも対応できる。【選択図】  図１
2004341131.tif 000002
【特許請求の範囲】
【請求項１】
第２の画像を生成し、入力される映像信号から得られた第１の画像に当該第２の画像を合成して表示する画像生成表示装置であって、
前記第２の画像を生成する画像生成装置と、
前記合成後の画像を表示するディスプレイ装置と、を有し、
前記ディスプレイ装置が、
画像の表示部と、
当該表示部の表示デバイスの種類に固有の前記第２の画像に関するグラフィック情報を保持または生成する回路と、を有し、
前記画像生成装置が、
前記ディスプレイ装置の前記保持または生成する回路から前記グラフィック情報を受け取る制御回路と、
前記制御回路に制御され、前記グラフィック情報を反映させて前記第２画像の生成処理を実行する処理回路と、
を有することを特徴とする画像生成表示装置。
【請求項２】
前記制御回路は、前記ディスプレイ装置の画像の切換要求を監視し、前記第２の画像の表示オフ要求を検出したときは、前記第２の画像の生成または伝送を中止する
ことを特徴とする請求項１に記載の画像生成表示装置。
【請求項３】
前記制御回路は、画像合成のデータ構造に適合させたフォーマットに前記受け取ったグラフィック情報を変換して出力し、
前記処理回路は、画像合成のデータ構造に適合したフォーマットの前記第２の画像を生成する
ことを特徴とする請求項１に記載の画像生成表示装置。
【請求項４】
前記ディスプレイ装置は、入力した映像信号から得られた前記第１の画像に、前記画像生成装置から送られてきた前記第２の画像を合成し、合成後の画像を前記表示部に表示させる
ことを特徴とする請求項１に記載の画像生成表示装置。
【請求項５】
前記画像生成装置は、入力した映像信号から得られた前記第１の画像に前記第２の画像を合成し、合成後の画像を前記ディスプレイ装置に出力する
ことを特徴とする請求項１に記載の画像生成表示装置。
【請求項６】
入力される映像信号から得られた第１の画像に、生成した第２の画像を合成して表示する画像生成表示方法であって、
前記合成後の画像を表示するディスプレイ装置に、当該ディスプレイ装置の表示デバイスの種類に固有の前記第２の画像に関するグラフィック情報を予め格納または生成する第１のステップと、
前記ディスプレイ装置から前記グラフィック情報を受け取ったときは、当該グラフィック情報を反映させて前記第２画像の生成を実行する処理を、前記ディスプレイ装置とは別に設けられた画像生成装置で実行させる第２のステップと、
を含むことを特徴とする画像生成表示方法。
【請求項７】
前記ディスプレイ装置の画像の切換要求を前記画像生成装置に監視させ、前記第２の画像の表示オフ要求を検出したときは、前記画像生成装置による前記第２の画像の生成または伝送を中止させるステップを
さらに含むことを特徴とする請求項６に記載の画像生成表示方法。
【請求項８】
前記受け取ったグラフィック情報を画像合成のデータ構造に適合させたフォーマットに変換する処理を、前記画像生成装置で実行するステップをさらに含み、
前記第２のステップでは、上記フォーマットの前記第２の画像を生成させる
ことを特徴とする請求項６に記載の画像生成表示方法。
【発明の詳細な説明】
【０００１】
【発明の属する技術分野】
本発明は、たとえば番組表、チャネル表示などの画像（第２の画像）を生成して、映像信号から再生した画面（第１の画像）に合成表示するＯＳＤ（Ｏｎ  Ｓｃｒｅｅｎ  Ｄｉｓｐｌａｙ）機能を有した画像生成表示装置とその方法とに関する。
【０００２】
【従来の技術】
近年、ディスプレイ装置の多様化が進み、従来のＣＲＴ（Ｃａｔｈｏｄｅ  Ｒａｙ  Ｔｕｂｅ）に加え、投影型ディスプレイ、液晶ディスプレイ、プラズマディスプレイなど多くの種類のディスプレイ装置が商品化されている。
【０００３】
これらディスプレイ装置の種類の識別情報をディスプレイ装置から受信し、その識別情報に応じてディスプレイ装置に適合した画像処理を施す技術が知られている（例えば、特許文献１参照）。
【０００４】
この画像処理技術は、低解像度画像を高解像度画像に変換する際に、ディスプレイ装置に適合した画質が得られるように、コントラストやシャープネス等の調整を行うものである。特許文献１の記載によれば、ディスプレイ装置に識別情報等のデバイス情報が予め記憶されているＲＯＭを有するが、画像処理（この場合、画像信号変換）を行う側のシステムコントローラにも、表示デバイスの種類を示す識別情報と画質情報との対応関係が記載されているＲＯＭが必要となる。したがって、このシステムコントローラ側のＲＯＭに対応関係が格納されていない表示デバイスを有するディスプレイ装置に対しては画像処理ができない。つまり、予め想定された表示デバイスを有するディスプレイ装置が接続されている場合は画像処理が可能であるが、それ以外の、予め想定されていない表示デバイスを有するディスプレイ装置を接続しても画像処理を行うことができない。
【０００５】
ところで、ＯＳＤ等のグラフィックを生成する処理を行い、このＯＳＤ等のグラフィック信号をディスプレイ装置へ転送し表示させるグラフィック生成表示装置が知られている。このようなグラフィック生成表示装置においては、ＯＳＤ画像等のグラフィックの生成は画像生成装置で行うが、入力される映像信号から画像を復調し、この復調後の画像（映像ソース）にグラフィックを合成する処理は、画像生成装置で行う場合とディスプレイ装置で行う場合がある。
いずれにしても、生成したグラフィックを重畳させる映像ソースの解像度（画面の縦横のドットサイズ）に応じて、グラフィックの解像度を変更する処理が必要である。また、ディスプレイ装置に使用する表示デバイスは、その種類によっては、高い輝度で表示される部分と低い輝度で表示される部分に蛍光体劣化の差分が生じ、残像が残る現象（いわゆる「焼き付き」）が生じることがある。このためＯＳＤ表示に際しては、その輝度を焼き付きが起こらないように調整し、或いは、ＯＳＤ表示を時間に応じてオンまたはオフさせる処理が必要となり、これらの処理は表示デバイスの種類に応じて変更することが望ましい。
【０００６】
【特許文献１】
特開２００１−３０９３１５号公報（第１図、第５〜第６頁）
【０００７】
【発明が解決しようとする課題】
ところが、従来のＯＳＤ等のグラフィックを生成し表示するための画像生成表示装置では、グラフィックを生成する画像生成装置内にＯＳＤの解像度情報を記憶させておくものが殆どであった。この場合、前述した特許文献１の画質調整の場合と同様の課題があった。すなわち、従来の画像生成表示装置では、予め想定していない表示デバイスを有したディスプレイ装置が接続されると、ディスプレイ装置の解像度に最適なサイズのＯＳＤ画像を生成できないという課題があった。あるいは、予め想定しない表示デバイスを有したディスプレイ装置が接続されると、画像生成装置内の記憶情報を、そのディスプレイ装置に適合した情報に書き換える必要があった。
【０００８】
また、輝度調整、および、ＯＳＤ表示のオンまたはオフの制御に関し、従来の画像生成表示装置では、ディスプレイ装置側でこれらの制御を行うため、画像生成表示装置全体でみると処理効率が悪く、装置全体として無駄が多いという課題があった。つまり、従来の画像生成表示装置では、ＯＳＤを生成する画像生成装置で汎用的な輝度レベルでＯＳＤを生成し、接続されるディスプレイ装置の特性に合わせて更に輝度レベルを再調整する手間を要していた。また、ＯＳＤ画像を映像ソースに合成する機能をディスプレイ装置に有している場合はよいが、そうでない場合、ＯＳＤ表示のオンまたはオフの制御ために画像合成の機能をディスプレイ装置にわざわざ持たなくてはならないという不利益が生じていた。ＯＳＤ表示のオンまたはオフは画像合成を行うか否かで実現されるためである。
【０００９】
さらに、ディスプレイ装置と画像生成装置が１つの筺体内に組み込まれた一体型の画像生成表示装置では、ディスプレイ装置の種類が変わるたびに画像生成装置の構成も変える必要があることから新たな型番の製品として開発する必要があり、汎用性に乏しく開発の効率が低く、コストの削減が難しいという課題があった。
【００１０】
本発明の目的は、ＯＳＤ等のグラフィックを生成する画像生成装置と、グラフィックが合成された画像を表示するディスプレイ装置とから構成される画像生成表示装置であって、どのような種類のディスプレイ装置が接続されても対応が可能で、処理効率が高く、また、装置としての無駄がない汎用的なグラフィック表示機能付の画像生成表示装置を提供することにある。
【００１１】
【課題を解決するための手段】
本発明に係る画像生成表示装置は、第２の画像を生成し、入力される映像信号から得られた第１の画像に当該第２の画像を合成して表示する画像生成表示装置であって、前記第２の画像を生成する画像生成装置と、前記合成後の画像を表示するディスプレイ装置と、を有している。前記ディスプレイ装置が、画像の表示部と、当該表示部の表示デバイスの種類に固有の前記第２の画像に関するグラフィック情報を保持または生成する回路と、を有している。そして、前記画像生成装置が、前記ディスプレイ装置の前記保持または生成する回路から前記グラフィック情報を受け取る制御回路と、前記制御回路に制御され、前記グラフィック情報を反映させて前記第２画像の生成処理を実行する処理回路と、を有している。
前記制御回路は、好適に、前記ディスプレイ装置の画像の切換要求を監視し、前記第２の画像の表示オフ要求を検出したときは、前記第２の画像の生成または伝送を中止する。
【００１２】
この画像生成表示装置によれば、入力される映像信号から得られた第１の画像に第２の画像を合成する処理は、上記画像生成装置が行う場合と、上記ディスプレイ装置が行う場合がある。いずれにしても、第１の画像に対し合成すべき第２の画像を画像生成装置が生成し、合成後の画像をディスプレイ装置の表示部が表示する。ディスプレイ装置の所定の回路が、表示部の表示デバイスの種類に固有の第２の画像に関するグラフィック情報を保持し、または、予め生成する。
ディスプレイ装置が画像生成装置に接続されると、このディスプレイ装置の上記保持または生成する回路から当該ディスプレイ装置に固有の上記グラフィック情報が、画像生成装置の制御回路に送られる。制御回路は、たとえば、このグラフィック情報をそのまま或いは画像合成に適合したフォーマットに変換した後に処理回路に送る。処理回路は、制御回路から入力したグラフィック情報を元に、当該グラフィック情報を反映させて第２の画像の生成処理を実行する。このため、第２の画像の解像度（縦横のドットサイズ）および輝度等が、ディスプレイ装置の解像度および輝度特性に適合したものとなる。生成された第２の画像は、そのままディスプレイ装置に送られ、あるいは、当該画像生成装置内で第１の画像と合成される。前者の場合、ディスプレイ装置内で第２の画像と第１の画像との合成が行われる。いずれの場合でも、その後、ディスプレイ装置の表示部に合成後の画像が表示される。
また、画像生成装置はディスプレイ装置の画像の切換要求を監視している。画像生成装置は、第２の画像の表示オフ要求を検出したときは、当該第２の画像の生成または伝送を中止する。このため、ディスプレイ装置の表示部では、第２の画像が消去された第１の画像のみの表示となる。
【００１３】
本発明に係る画像生成表示方法は、入力される映像信号から得られた第１の画像に、生成した第２の画像を合成して表示する画像生成表示方法であって、前記合成後の画像を表示するディスプレイ装置に、当該ディスプレイ装置の表示デバイスの種類に固有の前記第２の画像に関するグラフィック情報を予め格納または生成する第１のステップと、前記ディスプレイ装置から前記グラフィック情報を受け取ったときは、当該グラフィック情報を反映させて前記第２画像の生成を実行する処理を、前記ディスプレイ装置とは別に設けられた画像生成装置側で実行させる第２のステップと、を含む。
好適に、前記ディスプレイ装置の画像の切換要求を前記画像生成装置に監視させ、前記第２の画像の表示オフ要求を検出したときは、前記画像生成装置による前記第２の画像の生成または伝送を中止させるステップをさらに含む。
【００１４】
この画像処理方法によれば、第１のステップにおいて、ディスプレイ装置の表示デバイスの種類に固有の第２の画像に関するグラフィック情報を予め当該ディスプレイ装置内で格納または生成する。このグラフィック情報は、複数のディスプレイ装置がある場合、それぞれに固有の情報として格納または生成される。
第２のステップにおいて、接続されたディスプレイ装置から上記グラフィック情報が画像生成装置に送られる。すると、このグラフィック情報を受け取った画像生成装置が、当該グラフィック情報を反映させて第２の画像を生成する。
その後、生成された第２の画像は、そのままディスプレイ装置に送られ、あるいは、当該画像生成装置内で第１の画像と合成される。前者の場合、ディスプレイ装置内で第２の画像と第１の画像との合成が行われる。いずれの場合でも、その後、ディスプレイ装置の表示部に合成後の画像が表示される。
また、画像生成装置はディスプレイ装置の画像の切換要求を監視している。画像生成装置は、第２の画像の表示オフ要求を検出したときは、当該第２の画像の生成または伝送を中止する。このため、ディスプレイ装置の表示部では、第２の画像が消去された第１の画像のみの表示となる。
【００１５】
【発明の実施の形態】
［第１の実施の形態］
図１は、第１の実施の形態に係る画像生成表示装置の構成を示すブロック図である。この画像生成装置により生成される画像は、一般にグラフィックという。以下、グラフィックとしてＯＳＤ画像（第２の画像）を生成し、入力される映像信号から得られた第１の画像（以下、映像ソースという）に、ＯＳＤ画像を合成して表示させる場合を例として、本実施の形態を説明する。なお、ＯＳＤ（Ｏｎ  Ｓｃｒｅｅｎ  Ｄｉｓｐｌａｙ）とは、映像ディスプレイ装置において、ユーザに映像信号の様々な情報、たとえば番組あるいはチャネル等の情報を伝えるために映像ソース画面の決まった位置に表示されるウインドウ表示画面のことである。
【００１６】
図１に示す画像生成表示装置１は、ＯＳＤ画像の生成を行う画像生成装置２と、合成後の画像を表示するディスプレイ装置３とから構成される。画像生成装置２とディスプレイ装置３はケーブル４Ａおよび４Ｂにより接続されている。これらのケーブルは、望ましくは汎用の通信ケーブル、たとえばパラレルバス規格のケーブルで構成される。
【００１７】
本実施の形態ではディスプレイ装置３に映像信号が入力される構成となっている。ディスプレイ装置３は、入力した映像信号から得られた映像ソースＳ１に種々の処理、たとえばガンマ補正、画素数変換、フィルタリング等を行う信号処理回路３１を有する。信号処理回路３１に、処理後の映像ソースを表示する表示部３２と、上記種々の処理制御を含む当該ディスプレイ装置全体の制御を行う制御回路、たとえばＣＰＵ３３と、が接続されている。表示部３２は当該ディスプレイ装置の種類を決定するもので、たとえば、ブラウン管ディスプレイおよび投影型ディスプレイの場合はＣＲＴ、液晶ディスプレイおよび投影型ディスプレイの場合は液晶パネル、プラズマディスプレイの場合はＰＤＰ（Ｐｌａｓｍａ  Ｄｉｓｐｌａｙ  Ｐａｎｅｌ）を、それぞれ表示デバイスとして有している。なお、表示部３２内に、駆動回路、電源回路および制御回路等も内蔵されている。
本実施の形態では、記憶回路として、たとえばＲＯＭ３４がＣＰＵ３３に接続されている。ＲＯＭ３４は、ＯＳＤ画像を最適な形で表示部３２に表示するための信号処理に用いられるグラフィック情報、例えば画像合成のアルゴリズムの係数や、表示サイズに関する情報を格納する回路の一実施の形態を構成する。
【００１８】
一方、画像生成装置２は、ディスプレイ装置３内のＣＰＵ３３とケーブル４Ａを介して通信する制御回路２１と、当該制御回路２１に制御されてＯＳＤ画像を生成する画像生成の処理回路２２とを有する。制御回路２１は、たとえばＣＰＵ、マイクロコンピュータ等で構成される。以下、制御回路２１がＣＰＵにより構成されているとする。
ディスプレイ装置３内のＣＰＵ３３によってＲＯＭ３４から読み出されたグラフィック情報ＧＤは、ＣＰＵ間の通信によって画像生成装置２内の制御回路２１に送られ、これを受け取った制御回路２１が、このグラフィック情報ＧＤをそのまま、あるいは、画像合成に適した所定のフォーマットに変換した後に処理回路２２に送る。ここで「画像合成に適した所定のフォーマットにグラフィック情報を変換する」とは、グラフィック情報自体の加工は行わないで、その情報の形式を、当該画像生成装置の処理回路２２で採用されている画像生成手法で画像生成が可能なデータ構造にあてはめる処理、たとえば画像生成手法のアルゴリズムの係数に各情報を変換する処理をいう。
【００１９】
図２に、グラフィック情報の具体的なデータ構造の一例を模式的に示す。
図２に示す例では、グラフィック情報ＧＤが、ＯＳＤ全体の輝度Ｙに関するデータ、ＯＳＤの色（文字等の背景色）に関するデータ、ＯＳＤ表示（ＯＮ）と非表示（ＯＦＦ）の切替データ、ＯＳＤの輪郭強調の係数データＥｈ、ＯＳＤ解像度に関するデータを有している。ここで、輝度ＹはＯＳＤの背景や文字を含む全体を一括して輝度補正する係数であり、表示デバイスの種類に応じて、たとえば焼付けを起こしやすい表示デバイスでは、この輝度Ｙとして相対的に低い値が設定され、そうでない比較的焼付けに強い表示デバイスでは相対的に高い値が設定される。ＯＳＤの色としては緑（Ｇ）が例示されているが、他の原色、あるいは合成色であってもよい。また、水平解像度Ｍのみ数値例が示されているが、垂直解像度についても所定の値が設定されている。ＯＳＤ表示切替データは「１」がＯＳＤ表示を示し、「０」が非表示を示すものとする。
【００２０】
このようなグラフィック情報ＧＤは、画像生成装置内の制御回路２１において上述したフォーマット変換が施された後に処理回路２２に送られ、画像生成に供せられる。なお、制御回路２１がフォーマット変換を行わないで、グラフィック情報ＧＤをそのまま処理回路２２に送る場合は、処理回路２２内で当該フォーマット変換が行われる。
処理回路２２は、フォーマット変換後のグラフィック情報を用いて、予め想定される映像ソースＳ１の表示領域内の所定の位置に、所定の解像度（縦横のドットサイズ）、所定の輝度、所定の輪郭強調されたＯＳＤ画像Ｓ２を生成する。ここで映像ソースの解像度に関し、ＶＧＡ（Ｖｉｄｅｏ  Ｇｒａｐｈｉｃｓ  Ａｒｒａｙ）方式の画素数は６４０×４８０ドット、ＳＶＧＡ（Ｓｕｐｅｒ  ＶＧＡ）方式の画素数は８００×６００ドット、ＸＧＡ（ｅＸｔｒａ  ＶＧＡ）方式の画素数は１０２４×７６８ドット、ＳＸＧＡ（Ｓｕｐｅｒ  ＸＧＡ）方式の画素数は１２８０×１０２４ドットといった具合に、それぞれ解像度が異なっている。ＯＳＤ画像生成時に、これらの映像ソースの解像度の情報が必要となるが、この情報は、製品仕様で１種類に決まっている場合は、特に処理回路２２の外部から与える必要はない。また、ディスプレイ装置３側で映像ソースの解像度が決められ、図２に示すＯＳＤ画像の解像度（Ｍ＝１３６６等）が、その映像ソースの解像度に適したものとして決められている場合も、処理回路２２は、定められた大きさのＯＳＤ画像を生成しさえすればよい。但し、ディスプレイ装置３の信号処理回路３１が変換する解像度が複数存在する場合、たとえば、ディスプレイ装置３のＣＰＵ３３が当該解像度を認識し、その情報を画像生成装置２の制御回路２１に送ることにより、処理回路２２は映像ソースの解像度を認識することができる。あるいは、制御回路２１に与えられるユーザ操作の情報Ｓ４により、この映像ソースＳ１の解像度を指定しても良い。なお、たとえば録画予約時間等、ＯＳＤ画像にユーザ操作による情報Ｓ４を表示する場合、その情報Ｓ４を制御回路２１が所定のフォーマットに変換した後、処理回路２２に送出する。
【００２１】
なお、グラフィック情報ＧＤは、特別に設けたＲＯＭ３４に予め格納させずに、ＣＰＵ３３内の記憶領域に格納しても良い。あるいは、ＣＰＵ３３により予め生成するようにしても良い。これらの場合、ＲＯＭ３４は省略可能であり、また、ＣＰＵ３３が本発明の「グラフィック情報を保持または生成する回路」の実施の形態を構成する。
何れの場合でも、表示部３２でＯＳＤ画像が最適に表示されるためのグラフィック情報がＣＰＵ３３により管理されている。
【００２２】
生成されたＯＳＤ画像Ｓ２は、ケーブル４Ｂを介してディスプレイ装置内の信号処理回路３１に送られ、映像ソース（第１の画像）Ｓ１と合成される。合成後の画像Ｓ３は表示部３２に表示される。また、グラフィック情報ＧＤによりＯＳＤ画像Ｓ２の非表示が指示されたときは、信号処理回路３１によって表示画像が合成後の画像Ｓ３から元の映像ソースＳ１に切り替えられる。なお、この制御の詳細は後述する。
【００２３】
つぎに、この画像生成表示装置の動作を図３および図４に示すフローチャートを用いながら、より詳細に説明する。図３はＯＳＤ画像の受信と転送の手順を詳細に示す処理全体のフローチャート、図４はＯＳＤ画像のオンとオフの命令に連動した画像の伝送制御を詳細に示すフィローチャートである。
図３に示すステップＳＴ０において、ディスプレイ装置内のＲＯＭ３４またはＣＰＵ３３により、グラフィック情報ＧＤの格納または生成が実行される。
【００２４】
ディスプレイ装置３が画像生成装置２に接続されると、ステップＳＴ１において、ＣＰＵ３３がグラフィック情報ＧＤを画像生成装置の制御回路２１に送ると、その受信が制御回路２１により検出される。
制御回路２１は、次のステップＳＴ２において、ユーザ操作の情報Ｓ４が入力された場合、この情報Ｓ４とともにグラフィック情報ＧＤを必要に応じてフォーマット変換し、処理回路２２に転送する。
【００２５】
この転送後、ステップＳＴ３Ａ以降の処理と、ステップＳＴ３Ｂ以降の処理がパラレルに実行される。
ステップＳＴ３Ｂでは、制御回路２１により更にグラフィック情報ＧＤが受信されたか否かが検出される。この受信検出は定期的に行われ、新たな受信があるまで繰り返される。ステップＳＴ３Ｂで、新たにグラフィック情報ＧＤが受信されたことが検出されると、次のステップＳＴ４Ｂで、前回受信したグラフィック情報と異なるか否かが調べられる。同じ場合は、ステップＳＴ３Ｂの受信検出がさらに繰り返されるが、異なる場合は、その新たなグラフィック情報ＧＤの処理回路２２への転送が、上記ステップＳＴ２と同様にして実行される（ステップＳＴ５Ｂ）。その後、処理はステップＳＴ３Ａに移行する。
【００２６】
ステップＳＴ３Ａでは、最初の、あるいは新たなグラフィック情報ＧＤに基づいて、制御回路２１に制御されながら処理回路２２によるＯＳＤ画像の生成と伝送の処理が行われる。
詳細には、まず、図４に示すステップＳＴ３０において、制御回路２１によって、グラフィック情報ＧＤにＯＳＤ画像の表示オンの命令が含まれるか否かが調べられる。表示オンの命令を含まない場合は、ＯＳＤ画像の生成は一旦中止され、表示オンの命令を含む新たなグラフィック情報ＧＤを受信するまで待機状態となる。
表示オンの命令を含む場合は、次のステップＳＴ３１において、ＯＳＤ画像Ｓ２の生成が実行され、続くステップＳＴ３２において、生成したＯＳＤ画像Ｓ２のディスプレイ装置３への伝送が開始される。
【００２７】
これにより、ディスプレイ装置の信号処理回路３１が、送られてきたＯＳＤ画像Ｓ２をソース画像Ｓ１に合成し（図３のステップＳＴ４Ａ）、合成後の画像Ｓ３を表示部３２に表示させる（図３のステップＳＴ５Ａ）。
このＯＳＤ表示は、信号処理回路３１がＯＳＤ画像Ｓ２を受信している限り持続される。
【００２８】
ＯＳＤ画像Ｓ２の伝送途中に、新たなグラフィック情報ＧＤが受信され、これを検出した制御回路２１が、図４に示すステップＳＴ３３において、その中にＯＳＤ画像の表示オフの命令が含まれると判断すると、伝送が中止される（ステップＳＴ３４）。伝送が中止されると、ＯＳＤ表示がオフとなるとともに、処理がステップＳＴ３０の前に戻され、ＯＳＤ画像の表示オンの命令を含む新たなグラフィック情報の待機状態に移行する。
一方、ステップＳＴ３３において、新たなグラフィック情報ＧＤに表示オフ命令が含まれていないと判断すると、処理がステップＳＴ３１の前に戻され、当該新たなグラフィック情報ＧＤに基づくＯＳＤ画像の生成ステップが実行される。なお、このステップＳＴ３３は、新たなグラフィック情報ＧＤの受信でない場合も常に監視され、表示オフ命令を含まない、すなわち表示オンの場合は伝送維持状態となる（ステップＳＴ３５）。
【００２９】
本実施の形態によれば、映像信号から得られた映像ソースに重畳して表示すべきＯＤＳ画像Ｓ２に関するグラフィック情報ＧＤが、全て、ディスプレイ装置３内で保持または生成されている。このため、画像生成装置２にディスプレイ装置３を接続したときに、そのディスプレイ装置３がいかなる種類の表示部３２（表示デバイス）を有していようとも、画像生成装置２は、送られてくるグラフィック情報ＧＤを元に所望のＯＳＤ画像Ｓ２を生成できる利点がある。その結果、グラフィック情報ＧＤを一切持たずともあらゆる種類のディスプレイ装置３に対応できる汎用性が高い画像生成装置２が提供でき、その分、開発コストを低減できる。また、画像生成装置２は、ディスプレイ装置側で画像合成を行う場合でも、そのディスプレイ装置３の表示部３２の種類に適合したＯＳＤ画像Ｓ２を最初から生成できる。したがって、一旦生成したＯＳＤ画像Ｓ２に対し、さらに解像度を調整し、あるいは輝度を変更し、さらにはＯＳＤ画像の表示と非表示を切り替える処理の手間と、機器の重複した構成を省略した、効率がよく簡素な構成の装置２，３を提供することができる。
また、ＯＳＤ画像Ｓ２の表示オフの要求が検出されると、その生成または伝送を中止するため、リアルタイムで応答性がよいＯＳＤの表示と非表示の制御ができる。
さらに、制御回路２１が画像合成のアルゴリズムに適合した係数等にグラフィック情報ＧＤを変換して処理回路２２に出力するため、画像生成の効率が高く、また、処理回路２２の回路構成を簡素にできる利点がある。
【００３０】
［第２の実施の形態］
図５は、第２の実施の形態に係る画像生成表示装置の構成を示すブロック図である。
図５に示す画像生成表示装置１は、映像信号から得られた映像ソース（第１の画像）Ｓ１に種々の処理、たとえばガンマ補正、画素数変換、フィルタリング等を行う信号処理回路２３が、ＯＳＤ画像を生成する画像生成装置２内に備えることが、第１の実施の形態に係る画像生成表示装置（図１）と異なる。信号処理回路２３からの映像ソースＳ１は、ＯＳＤ画像を生成する処理回路２２に出力され、ここで、生成されたＯＳＤ画像と合成される。他の基本構成は、第１の実施の形態と共通する。
【００３１】
グラフィック情報ＧＤの内容例を示す図２、画像生成表示の手順を示す図３および図４も、第２の実施の形態に適用される。
但し、ＯＳＤ画像の表示オフ命令を受けたときの制御が一部異なる。以下、この点を簡単に説明する。
上記構成上の違いに応じて、図５に示す処理回路２２は、ＯＳＤ画像を生成し、これを映像ソースＳ１と合成し、合成後の画像Ｓ３を、ケーブル４Ｂを介してディスプレイ装置３内の表示部３２に伝送する。このＯＳＤ画像の生成、合成および伝送の途中に、図４に示すステップＳＴ３３のように、ＯＳＤ表示のオフ命令を制御回路２１が受信したときは、制御回路２１は処理回路２２にＯＳＤ画像の生成または合成そのものを中止するように制御する。このため、信号処理回路２３からの処理後の映像ソースＳ１が、合成後の画像に代わってケーブル４Ｂを介してディスプレイ装置３に送られ、結果として、ＯＳＤ表示がオフとなる。
【００３２】
なお、処理回路２２が、特に図示しないがＯＳＤ画像の生成部と、合成部とからなる場合、前者の生成部を本発明の「処理回路」の実施の形態とみなすと、その生成部から合成部へのＯＳＤ画像の伝送の中止が行われるとしても良い。
また、信号処理回路２３は、画像生成装置２の外部に別に設ける構成でも良い。
【００３３】
第２の実施の形態によれば、第１の実施の形態と同様な種々の利益が得られる。
【００３４】
【発明の効果】
本発明の請求項１に係る画像生成表示装置および請求項６に係る画像生成表示方法によれば、映像信号から得られた第１の画像に重畳して表示すべき第２の画像に関するグラフィック情報が、全て、ディスプレイ装置内で保持または生成される。このため、画像生成装置にディスプレイ装置を接続したときに、そのディスプレイ装置がいかなる種類の表示デバイスを有していようとも、画像生成装置は、送られてくるグラフィック情報を元に所望の第２の画像を生成できる利点がある。その結果、グラフィック情報を一切持たずともあらゆる種類のディスプレイ装置に対応できる汎用性が高い画像生成装置が提供でき、その分、開発コストを低減できる。また、画像生成装置は、ディスプレイ装置側で画像合成を行う場合でも、そのディスプレイ装置の表示デバイスの種類に適合した第２の画像を最初から生成できる。したがって、一旦生成した第２の画像に対し、さらに解像度を調整し、輝度を変更し、あるいは第２の画像の表示と非表示を切り替える処理の手間と、機器の重複した構成を省略した、効率がよく簡素な構成の装置を提供することができる。
本発明の請求項２および請求項７に係る画像生成表示装置およびその方法によれば、第２の画像の表示オフの要求が検出されると、その生成または伝送を中止するため、リアルタイムで応答性がよい第２の画像の表示と非表示の制御ができる。
【図面の簡単な説明】
【図１】本発明の第１の実施の形態に係る画像生成表示装置の構成を示すブロック図である。
【図２】グラフィック情報の具体的なデータ構造の一例を模式的に示す図である。
【図３】ＯＳＤ画像の受信と転送の手順を詳細に示す処理全体のフローチャートである。
【図４】ＯＳＤ画像のオンとオフの命令に連動した画像の伝送制御を詳細に示すフィローチャートである。
【図５】本発明の第２の実施の形態に係る画像生成表示装置の構成を示すブロック図である。
【符号の説明】
１…画像生成表示装置、２…画像生成装置、３…ディスプレイ装置、２１…制御回路、２２…処理回路、２３，３１…信号処理回路、３２…表示部、３３，３４…グラフィック情報を保持または生成する回路、Ｓ１…第１の画像（映像ソース）、Ｓ２…第２の画像（ＯＳＤ画像）、Ｓ３…合成後の画像、ＧＤ…グラフィック情報
【図１】
2004341131.tif 000003
【図２】
2004341131.tif 000004
【図３】
2004341131.tif 000005
【図４】
2004341131.tif 000006
【図５】
2004341131.tif 000007